(57)【要約】【課題】切断した草等の飛散を効果的に抑制することと、障害物の近傍の草等を容易に切断することとの両方を可能にする草刈機用カバーを提供する。【解決手段】草刈機用カバー１０は、草刈機１４の回転駆動される刈刃１２を覆う可動カバー機構３１を備える。可動カバー機構３１は、刈刃１２の回転時に刈刃１２が通過する領域である刈刃回転領域１２Ａの少なくとも一部の上方及び径方向外方を覆う閉位置と、閉位置から退避した開位置とに変位可能である。【選択図】図２
2019080515.tif 000002
【特許請求の範囲】
【請求項１】
草刈機の回転駆動される刈刃を覆う草刈機用カバーであって、
前記刈刃の回転時に前記刈刃が通過する領域である刈刃回転領域の少なくとも一部の上方及び径方向外方を覆う閉位置と、前記閉位置から退避した開位置とに変位可能な可動カバー機構を備えることを特徴とする草刈機用カバー。
【請求項２】
請求項１記載の草刈機用カバーにおいて、
前記可動カバー機構は、
前記刈刃回転領域の左側の上方及び径方向外方を覆う閉位置及び露出させる開位置の間を移動可能な左側カバーと、
前記刈刃回転領域の右側の上方及び径方向外方を覆う閉位置及び露出させる開位置の間を移動可能な右側カバーと、を備えることを特徴とする草刈機用カバー。
【請求項３】
請求項２記載の草刈機用カバーにおいて、
前記可動カバー機構は、前記刈刃回転領域の前側の上方及び径方向外方を覆う閉位置及び露出させる開位置の間を移動可能な前側カバーを備えることを特徴とする草刈機用カバー。
【請求項４】
請求項２又は３記載の草刈機用カバーにおいて、
前記左側カバーは、前記左側カバーが前記閉位置にあるときに前記刈刃回転領域よりも左側に配置される左開閉部と、前記左側カバーが前記閉位置にあるときに前記刈刃回転領域よりも後側に配置される左後開閉部とを有し、
前記右側カバーは、前記右側カバーが前記閉位置にあるときに前記刈刃回転領域よりも右側に配置される右開閉部と、前記右側カバーが前記閉位置にあるときに前記刈刃回転領域よりも後側に配置される右後開閉部とを有することを特徴とする草刈機用カバー。
【請求項５】
請求項４記載の草刈機用カバーにおいて、
前記刈刃の回転方向が平面視で右回りである場合、前記右開閉部と前記右後開閉部とが、回転する刈刃の径方向の外側に凸状の湾曲面を形成するように連続し、
前記刈刃の回転方向が平面視で左回りである場合、前記左開閉部と前記左後開閉部とが前記湾曲面を形成するように連続することを特徴とする草刈機用カバー。
【請求項６】
請求項５記載の草刈機用カバーにおいて、
前記右開閉部と前記右後開閉部とが前記湾曲面を形成するように連続する場合、前記左開閉部と前記左後開閉部とは角部を形成し、
前記左開閉部と前記左後開閉部とが前記湾曲面を形成するように連続する場合、前記右開閉部と前記右後開閉部とは角部を形成することを特徴とする草刈機用カバー。
【請求項７】
請求項２〜６の何れか１項に記載の草刈機用カバーにおいて、
前記左側カバーは、前記草刈機の進行方向の前後に延在する左回動軸を中心に回動することで、前記閉位置及び前記開位置の間を移動可能であり、
前記右側カバーは、前記進行方向の前後に延在する右回動軸を中心に回動することで、前記閉位置及び前記開位置の間を移動可能であることを特徴する草刈機用カバー。
【請求項８】
請求項７記載の草刈機用カバーにおいて、
前記左回動軸及び前記右回動軸は、前記進行方向に沿って前記刈刃の回転中心を通る中心軸に対して、前記進行方向の前方から後方に向かうにつれて離間するように傾斜することを特徴とする草刈機用カバー。
【請求項９】
請求項７又は８記載の草刈機用カバーにおいて、
前記左側カバーは、前記左回動軸を介して揺動可能な状態で前記閉位置に配置され、
前記右側カバーは、前記右回動軸を介して揺動可能な状態で前記閉位置に配置されることを特徴とする草刈機用カバー。
【請求項１０】
請求項２〜９の何れか１項に記載の草刈機用カバーにおいて、
前記左側カバー及び前記右側カバーは、前記閉位置及び前記開位置の間で停止させることが可能であることを特徴とする草刈機用カバー。
【請求項１１】
請求項３記載の草刈機用カバーにおいて、
前記前側カバーは、
前記前側カバーが前記閉位置にあるときに前記刈刃回転領域よりも前側に配置される可撓性のシート状部と、
前記前側カバーが前記閉位置にあるときに前記刈刃回転領域よりも上側に配置される上開閉部と、を有することを特徴とする草刈機用カバー。
【請求項１２】
請求項１１記載の草刈機用カバーにおいて、
前記上開閉部は、左右に延在する前回動軸を中心に回動可能であることを特徴とする草刈機用カバー。
【請求項１３】
請求項１１又は１２記載の草刈機用カバーにおいて、
前記シート状部は、前記前側カバーが前記閉位置にあるときに前記刈刃回転領域よりも左側及び右側の少なくとも一方に配置される部分を有することを特徴とする草刈機用カバー。
【請求項１４】
請求項１３記載の草刈機用カバーにおいて、
前記上開閉部には、前記シート状部の左端部を支持する左支持部材及び前記シート状部の右端部を支持する右支持部材が、前記草刈機の進行方向の前後に延在する回動軸を中心にそれぞれ回動可能に取り付けられ、
前記左支持部材及び前記右支持部材の回動角度をそれぞれ独立に調整可能であることを特徴とする草刈機用カバー。
【請求項１５】
請求項１〜１４の何れか１項に記載の草刈機用カバーにおいて、
前記刈刃はひも状であることを特徴とする草刈機用カバー。
【請求項１６】
請求項１〜１５の何れか１項に記載の草刈機用カバーにおいて、
前記刈刃回転領域の上側に固定され、左右方向の長さが、前記刈刃回転領域の直径よりも小さい固定カバーをさらに備えることを特徴とする草刈機用カバー。
【発明の詳細な説明】
【技術分野】
【０００１】
本発明は、草刈機の刈刃を覆う草刈機用カバーに関する。
【背景技術】
【０００２】
例えば、特許文献１に記載されるように、回転駆動させた刈刃を草等の切断対象に接触させて切断する草刈機が知られている。この種の草刈機では、切断した草等が飛散することを抑制するべく、刈刃を覆うカバーを設ける場合がある。この場合、カバーを大きくして、刈刃を覆う範囲を大きくすることで草等の飛散を抑制する効果を高めることができる。
【先行技術文献】
【特許文献】
【０００３】
【特許文献１】米国特許出願公開第２００１／００４５２９２号明細書
【発明の概要】
【発明が解決しようとする課題】
【０００４】
しかしながら、カバーを大きくすると、該カバーが、フェンスや、柵、壁、縁石等の障害物の近傍に生えている草等への刈刃の接近を妨げることになり、障害物近傍の草等を切断することが困難になる。
【０００５】
本発明はこのような課題を考慮してなされたものであり、切断した草等の飛散を効果的に抑制することと、障害物の近傍の草等を容易に切断することとの両方を可能にする草刈機用カバーを提供することにある。
【課題を解決するための手段】
【０００６】
上記の目的を達成するため、本発明は、草刈機の回転駆動される刈刃を覆う草刈機用カバーであって、前記刈刃の回転時に前記刈刃が通過する領域である刈刃回転領域の少なくとも一部の上方及び径方向外方を覆う閉位置と、前記閉位置から退避した開位置とに変位可能な可動カバー機構を備えることを特徴とする。
【０００７】
この草刈機用カバーによれば、可動カバー機構を閉位置に変位させることで、切断した草等が飛散することを抑制できる。一方、可動カバー機構を開位置に変位させることで、フェンスや、柵、壁、縁石等の障害物の近傍に生えている草に対しても回転させた刈刃を接近させて切断することができる。
【０００８】
従って、草刈機の使用状況に応じて、可動カバー機構を変位させることによって、切断した草等の飛散を効果的に抑制することと、障害物の近傍の草等を容易に切断することとの両方を可能にすることができる。
【０００９】
上記の草刈機用カバーにおいて、前記可動カバー機構は、前記刈刃回転領域の左側の上方及び径方向外方を覆う閉位置及び露出させる開位置の間を移動可能な左側カバーと、前記刈刃回転領域の右側の上方及び径方向外方を覆う閉位置及び露出させる開位置の間を移動可能な右側カバーと、を備えることが好ましい。
【００１０】
この場合、例えば、左側カバーを閉位置に配置することによって、草刈機の進行方向の左側に切断した草等が飛散することを効果的に抑制できる。一方、左側カバーを開位置に配置することによって、進行方向の左側に障害物が存在する場合であっても、該障害物の近傍に生えている草等を容易に切断できる。右側カバーについても、進行方向の右側において、同様に配置することにより、同様の作用効果を得ることができる。
【００１１】
上記の草刈機用カバーにおいて、前記可動カバー機構は、前記刈刃回転領域の前側の上方及び径方向外方を覆う閉位置及び露出させる開位置の間を移動可能な前側カバーを備えることが好ましい。この場合、前側カバーを閉位置に配置することによって、草刈機の進行方向の前側に切断した草等が飛散することを効果的に抑制できる。一方、前側カバーを開位置に配置することによって、進行方向の前側に障害物が存在する場合であっても、該障害物の近傍に生えている草等を容易に切断できる。
【００１２】
上記の草刈機用カバーにおいて、前記左側カバーは、前記左側カバーが前記閉位置にあるときに前記刈刃回転領域よりも左側に配置される左開閉部と、前記左側カバーが前記閉位置にあるときに前記刈刃回転領域よりも後側に配置される左後開閉部とを有し、前記右側カバーは、前記右側カバーが前記閉位置にあるときに前記刈刃回転領域よりも右側に配置される右開閉部と、前記右側カバーが前記閉位置にあるときに前記刈刃回転領域よりも後側に配置される右後開閉部とを有することが好ましい。
【００１３】
この場合、左側カバー及び右側カバーを閉位置に配置した際、切断した草等が進行方向の後側に飛散することを、左後開閉部及び右後開閉部によって抑制することが可能になる。
【００１４】
上記の草刈機用カバーにおいて、前記刈刃の回転方向が平面視で右回りである場合、前記右開閉部と前記右後開閉部とが、回転する刈刃の径方向の外側に凸状の湾曲面を形成するように連続し、前記刈刃の回転方向が平面視で左回りである場合、前記左開閉部と前記左後開閉部とが前記湾曲面を形成するように連続することが好ましい。
【００１５】
例えば、刈刃の回転方向が平面視で右回りである場合、開位置に右開閉部を配置すると、切断した草等は進行方向の右側に放出される。一方、閉位置に右開閉部を配置すると、切断した草等は、湾曲面を介して、右開閉部から右後開閉部へと円滑に導かれた後、進行方向の後方に排出される。従って、右開閉部の位置を調整することによって、切断した草等が排出される方向を調整することができ、しかも、切断した草等が右側カバーの内側に留まることを効果的に抑制できる。
【００１６】
刈刃の回転方向が平面視で左回りである場合も同様に、左開閉部の位置を調整することによって、切断した草等が排出される方向を調整でき、刈刃を覆う位置に左開閉部を配置しても、左側カバーの内側に切断した草等が留まることを効果的に抑制できる。
【００１７】
上記の草刈機用カバーにおいて、前記右開閉部と前記右後開閉部とが前記湾曲面を形成するように連続する場合、前記左開閉部と前記左後開閉部とは角部を形成し、前記左開閉部と前記左後開閉部とが前記湾曲面を形成するように連続する場合、前記右開閉部と前記右後開閉部とは角部を形成することが好ましい。
【００１８】
この場合、切断した草等が、右開閉部から湾曲面を介して右後開閉部に導かれた後、左後開閉部や左開閉部の内側まで達したとしても、該左開閉部と左後開閉部によって形成された角部によって該草等を下方に導くことができる。これによって、左開閉部の前方に向かって、切断した草等が排出されることを回避できる。前記右開閉部と前記右後開閉部とが角部を形成する場合も同様である。
【００１９】
上記の草刈機用カバーにおいて、前記左側カバーは、前記草刈機の進行方向の前後に延在する左回動軸を中心に回動することで、前記閉位置及び前記開位置の間を移動可能であり、前記右側カバーは、前記進行方向の前後に延在する右回動軸を中心に回動することで、前記閉位置及び前記開位置の間を移動可能であることが好ましい。この場合、左回動軸及び右回動軸を設ける簡単な構成によって、左側カバー及び右側カバーの配置を容易に調整することができる。
【００２０】
上記の草刈機用カバーにおいて、前記左回動軸及び前記右回動軸は、前記進行方向に沿って前記刈刃の回転中心を通る中心軸に対して、前記進行方向の前方から後方に向かうにつれて離間するように傾斜することが好ましい。
【００２１】
この場合、右側カバー及び左側カバー（以下、これらを総称して側方カバーともいう）を閉位置に配置した状態で草刈機による草刈作業を行う際に、進行方向の前方から側方カバーに障害物が接触しても、側方カバーが損傷することを抑制できる。上記のように傾斜する左回動軸及び右回動軸では、側方カバーに対して、その前方から進行方向に沿って荷重が加えられても、該回動軸の延在方向に交わる方向に分力を生じさせて、側方カバーを上方に回動させ易くすることができるためである。
【００２２】
上記の草刈機用カバーにおいて、前記左側カバーは、前記左回動軸を介して揺動可能な状態で前記閉位置に配置され、前記右側カバーは、前記右回動軸を介して揺動可能な状態で前記閉位置に配置されることが好ましい。この場合、刈刃を覆う位置に配置した側方カバーに障害物等が接触しても、側方カバーは、障害物等に押圧されて上方に容易に移動することが可能である。これによって、側方カバーに大きな荷重が加えられることを回避できるため、側方カバーが損傷すること等を効果的に抑制できる。
【００２３】
上記の草刈機用カバーにおいて、前記左側カバー及び前記右側カバーは、前記閉位置及び前記開位置の間で停止させることが可能であることが好ましい。この場合、側方カバーを、閉位置と開位置との間の所望の位置に配置した状態、換言すると、刈刃に対する側方カバーの開度を詳細に設定した状態で、草刈作業を行うことが可能になる。
【００２４】
例えば、刈刃回転領域よりも左側及び右側を全て覆う位置に側方カバーを配置することで、切断した草等が飛散する量や範囲を最小限に抑えることができる。その一方で、障害物近傍の草や、背丈の高い草等を切断し難くなるため、草刈作業の効率は向上させ難い。
【００２５】
また、刈刃回転領域を全て露出させる位置に側方カバーを配置することで、該側方カバーが草等に刈刃を接触させる作業を妨げることを回避できるため、草刈作業の効率を最大限に高めることができる。その一方で、切断した草等の飛散を抑制する効果は向上させ難い。
【００２６】
この草刈機用カバーによれば、上記の通り、切断対象である草等の背丈や、障害物の高さ等、草刈機の使用状況等に応じて側方カバーの開度を調整することができる。これによって、切断した草等の飛散を抑制することと、草刈作業を効率的に行うこととの均衡を適切に図ることが可能になる。
【００２７】
上記の草刈機用カバーにおいて、前記前側カバーは、前記前側カバーが前記閉位置にあるときに前記刈刃回転領域よりも前側に配置される可撓性のシート状部と、前記前側カバーが前記閉位置にあるときに前記刈刃回転領域よりも上側に配置される上開閉部と、を有することが好ましい。この場合、切断した草等が前方に飛散することを抑制するべく、可撓性のシート状部を閉位置に配置しても、シート状部の内側に切断対象の草等を進入させて切断し易くすることができる。
【００２８】
上記の草刈機用カバーにおいて、前記上開閉部は、左右に延在する前回動軸を中心に回動可能であることが好ましい。上開閉部に前回動軸を設ける簡単な構成によって、前側カバーの配置を容易に調整することが可能になる。
【００２９】
上記の草刈機用カバーにおいて、前記シート状部は、前記前側カバーが前記閉位置にあるときに前記刈刃回転領域よりも左側及び右側の少なくとも一方に配置される部分を有することが好ましい。この場合、前側カバーによって、刈刃回転領域よりも左側及び右側に切断した草等が飛散することを抑制できる。
【００３０】
上記の草刈機用カバーにおいて、前記上開閉部には、前記シート状部の左端部を支持する左支持部材及び前記シート状部の右端部を支持する右支持部材が、前記草刈機の進行方向の前後に延在する回動軸を中心にそれぞれ回動可能に取り付けられ、前記左支持部材及び前記右支持部材の回動角度をそれぞれ独立に調整可能であることが好ましい。
【００３１】
この場合、シート状部の左端部を支持する左支持部材の回動角度を調整することによって、シート状部の左側を、閉位置及び開位置の間の所望の位置に配置することができる。同様に、右支持部材の回動角度を調整することによって、シート状部の右側を、閉位置及び開位置の間の所望の位置に配置することができる。
【００３２】
従って、切断対象である草等の背丈や、障害物の高さ、草刈機の使用状況等に応じて、右支持部材及び左支持部材の各々の回動角度を調整することで、切断した草等の飛散を抑制することと、草刈作業を効率的に行うこととの均衡を適切に図ることが可能となる。
【００３３】
上記の草刈機用カバーは、ひも状の前記刈刃に対して好適に適用することができる。ひも状の刈刃は、例えば、ブレード状や円盤状の刈刃等に比して可撓性が高いこと等から、草等の切断作業の際に障害物等に接触した場合であっても、該障害物が損傷することや、刈刃を介して草刈機に大きな衝撃が加えられることを回避できる。一方で、ひも状の刈刃では、ブレード状や円盤状の刈刃等に比して、切断した草等が飛散し易くなるが、この草刈機用カバーによれば、ひも状の刈刃に適用した場合であっても、切断した草等の飛散を効果的に抑制することができる。
【００３４】
上記の草刈機用カバーにおいて、前記刈刃回転領域の上側に固定され、左右方向の長さが、前記刈刃回転領域の直径よりも小さい固定カバーをさらに備えることが好ましい。この場合、刈刃と切断対象の草等との接触を妨げることなく、すなわち、草刈作業の効率を低下させることなく、切断した草等が刈刃の上方に飛散することを抑制できる。また、刈刃がひも状であった場合、固定カバーにより、障害物が刈刃を保持するホルダに接近することを回避できるため、ホルダと障害物との間に刈刃が挟まれて損傷すること等を抑制できる。
【発明の効果】
【００３５】
本発明の草刈機用カバーによれば、切断した草等の飛散を効果的に抑制することと、障害物の近傍の草等を容易に切断することとの両方を可能にすることができる。
【図面の簡単な説明】
【００３６】
【図１】本発明の実施形態に係る草刈機用カバーを備える草刈機の側面図である。
【図２】図１の草刈機の斜視図である。
【図３】図２の前側カバーを、開位置に移動させた斜視図である。
【図４】前側カバーを省略した草刈機の要部概略平面図である。
【図５】開位置に配置した右側カバー及び左側カバーを説明する説明図である。
【図６】左支持部材及び右支持部材の回動角度を調整可能であることを説明する説明図である。
【図７】左支持部材及び右支持部材の回動角度を調整可能であることを説明する別の説明図である。
【図８】左支持部材及び右支持部材の回動角度を調整可能であることを説明するまた別の説明図である。
【発明を実施するための形態】
【００３７】
以下、本発明に係る草刈機用カバーについて好適な実施形態を挙げ、添付の図面を参照しながら説明する。なお、以下の図において、同一又は同様の機能及び効果を奏する構成要素に対しては同一の参照符号を付し、繰り返しの説明は省略する。
【００３８】
図１〜図４に示すように、本実施形態では、草刈機用カバー１０が、ひも状の刈刃１２を備える歩行型の草刈機１４に備えられる例について説明する。しかしながら、草刈機用カバー１０を適用可能な草刈機は、上記の草刈機１４に限定されるものではなく、例えば、ブレード状や円盤状の刈刃（不図示）を備えてもよいし、乗用型であってもよい。
【００３９】
図において、矢印Ｘ１は草刈機１４の進行方向の前方を示し、矢印Ｘ２は草刈機１４の進行方向の後方を示す。また、矢印Ｙ１は草刈機１４の進行方向に対する上方を示し、矢印Ｙ２は草刈機１４の進行方向に対する下方を示す。さらに、矢印Ｚ１は草刈機１４の進行方向に対する左方を示し、矢印Ｚ２は草刈機１４の進行方向に対する右方を示す。
【００４０】
以下では、草刈機用カバー１０の各構成要素について、上記の進行方向の前後、上下、左右の方向（作業者から見た前後、上下、左右の方向と同じ）を基準として説明する。図１〜図４に示すように、草刈機１４は、草刈機用カバー１０の他に、機体を構成するハウジング１８と、ハウジング１８の上部に配置された原動機２０（駆動源）と、ハウジング１８内に収納され刈刃１２を保持するホルダ２２と、ハウジング１８の前部に配置された前輪２４と、ハウジング１８の後部に配置された左右の後輪２６と、ハウジング１８の後方に延出する操作ハンドル２８とを主に備える。なお、図４では、前輪２４の図示を省略している。
【００４１】
原動機２０は、回転駆動力を生じさせることが可能なエンジンやモータ等からなる。ホルダ２２は、不図示のベルト等を介して原動機２０の回転駆動力が伝達される。これによって、ホルダ２２が回転することに伴い、該ホルダ２２に保持された刈刃１２が平面視で右回り方向（図４の矢印Ｒ方向）に回転する。刈刃１２は、例えば、ナイロンコード等からなるひも状であり、図４に一点鎖線で示す円（刈刃回転領域１２Ａ）を描くように回転駆動される。この刈刃１２の回転中心をＯとし、進行方向に沿って刈刃１２の回転中心Ｏを通る草刈機１４の中心軸をＬｃとする。
【００４２】
後輪２６の車軸は、ハウジング１８の後部に設けられた後部フレームに回動自在に設けられ、走行動力伝達機構及び変速機を介して、原動機２０の回転駆動力を後輪２６に伝達する。なお、後部フレーム、走行動力伝達機構及び変速機は何れも不図示である。これによって、後輪２６が回転することで、草刈機１４を走行させることが可能になっている。前輪２４の車軸はハウジング１８から前方に突設されたフレーム３０に回動自在に設けられる。操作ハンドル２８の前端部は、例えば、後部フレームに取り付けられ、該操作ハンドル２８を操作することにより、草刈機１４を進行方向の左右に操作することが可能になっている。
【００４３】
次に、図５〜図８を併せて参照しつつ、草刈機用カバー１０について説明する。草刈機用カバー１０は、刈刃１２の回転時に、刈刃１２が通過する領域である刈刃回転領域１２Ａ（図４等参照）の少なくとも一部の上方及び径方向外方を覆う閉位置と、閉位置から退避した開位置とに変位可能な可動カバー機構３１と、固定カバー３２とを備える。可動カバー機構３１は、右側カバー３４と、左側カバー３６と、前側カバー３８とを備える。なお、図４及び図５では、前側カバー３８の図示を省略している。
【００４４】
固定カバー３２は、例えば、樹脂や金属等からなる板状であり、刈刃１２の上方に配設される。この際、図４に示すように、固定カバー３２の左右方向の中心は、中心軸Ｌｃ上に配置される。また、固定カバー３２の左右方向の長さは、回転時の刈刃１２の直径の略２／３となるように設定される。さらに、固定カバー３２の前端は、回転時の刈刃１２の平面視における前端よりも後方に配置されている。従って、固定カバー３２は、刈刃回転領域１２Ａの前端側と、左右方向の両端側とを除く上方を覆うように設けられる。固定カバー３２の前端側には、前方に向かうにつれて上方に傾斜する前舌部４０が設けられている。
【００４５】
図３〜図５に示すように、右側カバー３４は、右板状部４２と、右開閉部４４と、右後開閉部４６とを有する。右板状部４２の中心軸Ｌｃに近接する一端側が、固定カバー３２の上面に回動支持部４８を介して取り付けられる。なお、図４では、回動支持部４８の図示を省略する。これによって、右板状部４２の中心軸Ｌｃから離間する他端側に突設された右開閉部４４と、右板状部４２の後端側に突設された右後開閉部４６とが、進行方向の前後に延在する右回動軸Ｌｒ（図４参照）を中心に回動可能となっている。右回動軸Ｌｒは、前方から後方に向かうにつれて中心軸Ｌｃから離間するように、該中心軸Ｌｃに対して傾斜している。
【００４６】
図３に示すように、右板状部４２の他端側を下方に移動させることで、刈刃回転領域１２Ａの右側及び右後側を覆う閉位置に、右開閉部４４及び右後開閉部４６をそれぞれ配置することができる。また、図５に示すように、右板状部４２の他端側を上方に向かって移動させることで、刈刃回転領域１２Ａの右側及び右後側を露出させる開位置に右開閉部４４及び右後開閉部４６をそれぞれ配置することができる。
【００４７】
回動支持部４８は、例えば、フリーストップヒンジ（トルクヒンジ）等、固定カバー３２に対して、右板状部４２を任意の角度で静止させることが可能な構成を有する。これによって、右開閉部４４及び右後開閉部４６は、閉位置と開位置との間の任意の位置で停止させることができる。このようにして、右開閉部４４及び右後開閉部４６を停止させる位置を調整することにより、該右開閉部４４及び右後開閉部４６が刈刃回転領域１２Ａの右側及び右後側を覆う割合（開度）を調整することができる。また、回動支持部４８は、右回動軸Ｌｒを介して揺動可能な状態で、右開閉部４４及び右後開閉部４６を、閉位置に配置することが可能に構成されている。
【００４８】
図４に示すように、右開閉部４４及び右後開閉部４６は、閉位置にあるときの平面視で、回転する刈刃１２（刈刃回転領域１２Ａ）の径方向の外側に凸状の湾曲面を形成するように連続する。
【００４９】
左側カバー３６は、左板状部５０と、左開閉部５２と、左後開閉部５４とを有する。左板状部５０も、右板状部４２と同様に、中心軸Ｌｃに近接する一端側が、固定カバー３２の上面に回動支持部４８を介して取り付けられる。また、左板状部５０の中心軸Ｌｃから離間する他端側に左開閉部５２が突設され、左板状部５０の後端側に左後開閉部５４が突設されている。これによって、左開閉部５２及び左後開閉部５４は、進行方向の前後に延在する左回動軸Ｌｌを中心に回動可能となっている。図４に示すように、左回動軸Ｌｌも、前方から後方に向かうにつれて中心軸Ｌｃから離間するように、該中心軸Ｌｃに対して傾斜している。
【００５０】
図３に示すように、左板状部５０の他端側を下方に向かって移動させることで、刈刃回転領域１２Ａの左側及び左後側を覆う閉位置に左開閉部５２及び左後開閉部５４をそれぞれ配置することができる。また、図５に示すように、左板状部５０の他端側を上方に向かって移動させることで、刈刃回転領域１２Ａの左側及び左後側を露出させる開位置に左開閉部５２及び左後開閉部５４をそれぞれ配置することができる。
【００５１】
右開閉部４４及び右後開閉部４６と同様に、左開閉部５２及び左後開閉部５４についても、閉位置と開位置との間の任意の位置で停止させることができる。この左開閉部５２及び左後開閉部５４を停止させる位置を調整することにより、該左開閉部５２及び左後開閉部５４が刈刃１２の左側を覆う割合（開度）を調整することができる。
【００５２】
右開閉部４４及び右後開閉部４６を停止させる位置と、左開閉部５２及び左後開閉部５４を停止させる位置は、互いに独立に調整可能である。また、左回動軸Ｌｌを介して揺動可能な状態で、左開閉部５２及び左後開閉部５４を閉位置に配置することが可能になっている。
【００５３】
図４に示すように、閉位置にあるときの平面視において、左開閉部５２は進行方向に略沿って延在し、左後開閉部５４は左右方向に略沿って延在する。これによって、左開閉部５２と左後開閉部５４との間のコーナに角部５６が形成されている。
【００５４】
図１〜図３、図６〜図８に示すように、前側カバー３８は、上開閉部５８と、可撓性のシート状部６０と、左支持部材６２と、右支持部材６４とを有する。上開閉部５８は、ハウジング１８に取り付けられた固定部材６６に対して、左右方向に延在する前回動軸Ｌｆを介して固定されている。これによって、上開閉部５８は、前回動軸Ｌｆを中心として回動可能である。
【００５５】
以下では、上開閉部５８の前回動軸Ｌｆに近接する側の端部を中心側端部ともいい、上開閉部５８の前回動軸Ｌｆと離間する側の端部を外側端部ともいう。上開閉部５８を回動させて、図１及び図２に示すように、上開閉部５８の外側端部を前回動軸Ｌｆの前方に配置した場合、該上開閉部５８は、ハウジング１８を介した刈刃回転領域１２Ａの上方の一部と、前輪２４とを覆うよう閉位置に配置される。
【００５６】
シート状部６０は、例えば、ポリエステル繊維やナイロン繊維等を用いた織物からなり、上記のようにして上開閉部５８を閉位置に配置した際に、該上開閉部５８の外周縁部から垂下して、刈刃回転領域１２Ａの前側とともに左側及び右側を覆う閉位置に配置される。
【００５７】
また、シート状部６０は、図３に示すように、上開閉部５８を回動させて、その外側端部を前回動軸Ｌｆの後方に配置した場合、上開閉部５８の上方において、刈刃回転領域１２Ａを露出させる開位置に配置することが可能になっている。従って、シート状部６０は、上開閉部５８を回動させることで、開位置と閉位置の間を移動可能となっている。
【００５８】
次に、図６〜図８に示すように、左支持部材６２及び右支持部材６４について、上開閉部５８を閉位置に配置した場合の方向を基準として説明する。左支持部材６２は、上開閉部５８の中心側端部の左端に、進行方向に沿う回動軸（不図示）を中心に回動可能に固定されるとともに、シート状部６０の左後端部を支持する。右支持部材６４は、上開閉部５８の中心側端部の右端に、進行方向に沿う回動軸（不図示）を中心に回動可能に固定されるとともに、シート状部６０の右後端部を支持する。
【００５９】
上開閉部５８と、左支持部材６２及び右支持部材６４の各々とは、上記の回動支持部４８と同様に、上開閉部５８に対して、左支持部材６２及び右支持部材６４の各々を任意の角度で静止させることが可能な構成により固定されている。これによって、左支持部材６２及び右支持部材６４の回動角度をそれぞれ独立に調整することができる。このようにして、左支持部材６２の回動角度を調整することにより、該左支持部材６２に支持されたシート状部６０の左後端部が刈刃回転領域１２Ａの左側を覆う割合（開度）を調整することができる。同様に、右支持部材６４の回動角度を調整することにより、該右支持部材６４に支持されたシート状部６０の右後端部が刈刃回転領域１２Ａの右側を覆う割合（開度）を調整することができる。
【００６０】
例えば、図６に示すように、上開閉部５８の下方において、該上開閉部５８の面方向と左支持部材６２の延在方向とが略直交するように、左支持部材６２の回動角度を調整することで、シート状部６０の左端側を刈刃１２の左側を全て覆う位置に配置することができる。すなわち、刈刃１２の左側に対するシート状部６０の開度を最小とすることができる。右支持部材６４についても同様に回動角度を調整することで、刈刃１２の右側に対するシート状部６０の開度を最小とすることができる。
【００６１】
また、図７に示すように、上開閉部５８の上方において、該上開閉部５８の面方向と左支持部材６２の延在方向とが略直交するように、左支持部材６２の回動角度を調整することで、シート状部６０の左端側を刈刃１２の左側を全て露出させる位置に配置することができる。すなわち、刈刃１２の左側に対するシート状部６０の開度を最大とすることができる。右支持部材６４についても同様に回動角度を調整することで、刈刃１２の右側に対するシート状部６０の開度を最大とすることができる。
【００６２】
さらに、図８に示すように、左支持部材６２の回動角度を、図６に示す回動角度と、図７に示す回動角度との間の大きさに調整することで、刈刃１２の左側に対するシート状部６０の開度を上記の最小と最大の間の大きさとすることができる。右支持部材６４についても同様に回動角度を調整することで、刈刃１２の右側に対するシート状部６０の開度を上記の最小と最大の間の大きさとすることができる。
【００６３】
本実施形態に係る草刈機用カバー１０は基本的には以上のように構成され、以下の効果を奏する。
【００６４】
上記の通り、草刈機用カバー１０では、左側カバー３６、右側カバー３４、前側カバー３８のそれぞれが、閉位置及び開位置の間を移動可能に構成されている。従って、例えば、閉位置に左側カバー３６を配置することによって、草刈機１４の進行方向の左側に切断した草等が飛散することを効果的に抑制できる。一方、開位置に左側カバー３６を配置することによって、草刈機１４の進行方向の左側に、フェンスや、柵、壁、縁石等の障害物が存在する場合であっても、該障害物の近傍に生えている草等を容易に切断できる。右側カバー３４及び前側カバー３８の各々についても、上記の左側カバー３６と同様に移動させて、同様に作用効果を得ることができる。
【００６５】
以上から、この草刈機用カバー１０によれば、使用状況に応じて、左側カバー３６、右側カバー３４、前側カバー３８を配置することによって、切断した草等の飛散を効果的に抑制することと、障害物の近傍の草等を容易に切断することとの両方を可能にすることができる。
【００６６】
上記の通り、草刈機用カバー１０では、左側カバー３６が左開閉部５２及び左後開閉部５４を有し、右側カバー３４が右開閉部４４及び右後開閉部４６を有する。これによって、左側カバー３６及び右側カバー３４を閉位置に配置することで、切断した草等が進行方向の左側及び後側に飛散することを抑制することが可能になる。
【００６７】
刈刃１２の回転方向が平面視で右回りである場合、開位置に右開閉部４４を配置すると、切断した草等は進行方向の右側に放出される。一方、閉位置に右開閉部４４を配置すると、切断した草等は、右開閉部４４と右後開閉部４６によって形成された湾曲面を介して、右開閉部４４から右後開閉部４６へと円滑に導かれた後、進行方向の後方に排出される。従って、右開閉部４４の位置を調整することによって、切断した草等が排出される方向を調整することができ、しかも、切断した草等が右側カバー３４の内側に留まることを効果的に抑制できる。
【００６８】
上記の通り、湾曲面を形成するように連続する右開閉部４４と右後開閉部４６に対して、左開閉部５２と左後開閉部５４とは角部５６を形成する。このため、切断した草等が、右開閉部４４から湾曲面を介して右後開閉部４６に導かれた後、左後開閉部５４や左開閉部５２の内側まで達したとしても、該左開閉部５２と左後開閉部５４によって形成された角部５６によって該草等を下方に導くことができる。これによって、左開閉部５２の前方に向かって、切断した草等が排出されることを回避できる。
【００６９】
なお、刈刃１２の回転方向を平面視で左回りとする場合は、左開閉部５２と左後開閉部５４とを刈刃１２の径方向の外側に凸状の湾曲面を形成するように連続させ、右開閉部４４と前記右後開閉部４６とによって角部５６を形成することで、同様の作用効果を得ることができる。
【００７０】
上記の通り、左側カバー３６は、左回動軸Ｌｌを中心に回動することで、閉位置及び開位置の間を移動可能であり、右側カバー３４は、右回動軸Ｌｒを中心に回動することで、閉位置及び開位置の間を移動可能である。従って、左回動軸Ｌｌ及び右回動軸Ｌｒを設ける簡単な構成によって、左側カバー３６及び右側カバー３４の配置を容易に調整することができる。
【００７１】
上記の通り、左回動軸Ｌｌ及び右回動軸Ｌｒは、中心軸Ｌｃに対して、進行方向の前方から後方に向かうにつれて離間するようにそれぞれ傾斜する。このため、閉位置に左側カバー３６及び右側カバー３４（以下、これらを総称して側方カバーともいう）を配置した状態で草刈機１４による草刈作業を行う際に、進行方向の前方から障害物が接触しても、側方カバーが損傷することを抑制できる。上記のように傾斜する左回動軸Ｌｌ及び右回動軸Ｌｒでは、側方カバーに対して、その前方から進行方向に沿って荷重が加えられても、該左回動軸Ｌｌ及び右回動軸Ｌｒの延在方向に交わる方向に分力を生じさせて、側方カバーを上方に回動させ易くすることができるためである。
【００７２】
上記の通り、左側カバー３６は、左回動軸Ｌｌを介して揺動可能な状態で閉位置に配置され、右側カバー３４は、右回動軸Ｌｒを介して揺動可能な状態で閉位置に配置される。このため、閉位置に配置した側方カバーに障害物等が接触しても、側方カバーは、障害物等に押圧されて上方に容易に移動することが可能である。これによって、側方カバーに大きな荷重が加えられることを回避できるため、側方カバーが損傷すること等を効果的に抑制できる。
【００７３】
上記の通り、側方カバーは、閉位置及び開位置の間で停止させることが可能である。これによって、側方カバーを、閉位置と開位置との間の所望の位置に配置した状態、換言すると、刈刃１２に対する側方カバーの開度を詳細に設定した状態で、草刈作業を行うことが可能になる。
【００７４】
例えば、図３等に示すように、刈刃回転領域１２Ａの左側及び右側を全て覆う位置に側方カバーを配置することで、切断した草等が飛散する量や範囲を最小限に抑えることができる。その一方で、障害物近傍の草や、背丈の高い草等を切断し難くなるため、草刈作業の効率は向上させ難い。
【００７５】
また、図５に示すように、刈刃１２の左側及び右側を全て露出する位置に側方カバーを配置することで、該側方カバーが草等に刈刃１２を接触させる作業を妨げることを回避できるため、草刈作業の効率を最大限に高めることができる。その一方で、切断した草等の飛散を抑制する効果は向上させ難い。
【００７６】
この草刈機用カバー１０によれば、上記の通り、切断対象である草等の背丈や、障害物の高さ等、草刈機１４の使用状況等に応じて側方カバーの開度を調整することができるため、切断した草等の飛散を抑制することと、草刈作業を効率的に行うこととの均衡を適切に図ることが可能になる。
【００７７】
上記の通り、前側カバー３８は、可撓性のシート状部６０と、上開閉部５８とを有する。このように、可撓性のシート状部６０によって刈刃１２の前側を覆うことで、該シート状部６０の内側に切断対象の草等を容易に進入させて刈刃１２に接触させることができるとともに、切断した草等が刈刃１２の前方に飛散することを抑制することが可能になる。
【００７８】
上記の通り、上開閉部５８は、左右方向に延在する前回動軸Ｌｆを中心に回動可能である。従って、前回動軸Ｌｆを設ける簡単な構成によって、上開閉部５８の配置を容易に調整することができる。
【００７９】
また、シート状部６０は、前側カバー３８が閉位置にあるときに刈刃回転領域１２Ａよりも左側及び右側に配置される部分を有する。このため、前側カバー３８によって、刈刃回転領域１２Ａよりも左側及び右側に切断した草等が飛散することを抑制できる。
【００８０】
上記の通り、上開閉部５８には、シート状部６０の左後端部（左端部）を支持する左支持部材６２及びシート状部６０の右後端部（右端部）を支持する右支持部材６４が、進行方向に沿う回動軸を中心にそれぞれ回動可能に取り付けられる。また、左支持部材６２及び右支持部材６４の回動角度をそれぞれ独立に調整可能になっている。
【００８１】
この場合、シート状部６０の左後端部を支持する左支持部材６２の回動角度を調整することによって、シート状部６０の左側を、刈刃回転領域１２Ａの左側を覆う閉位置及び露出させる開位置の間の所望の位置に配置することができる。同様に、右支持部材６４の回動角度を調整することによって、シート状部６０の右側を、刈刃回転領域１２Ａの右側を覆う閉位置及び露出させる開位置の間の所望の位置に配置することができる。
【００８２】
従って、切断対象である草等の背丈や、障害物の高さ、草刈機１４の使用状況等に応じて、右支持部材６４及び左支持部材６２の各々の回動角度を調整することで、切断した草等の飛散を抑制することと、草刈作業を効率的に行うこととの均衡を適切に図ることが可能となる。
【００８３】
上記の通り、草刈機用カバー１０が適用される草刈機１４は、ひも状の刈刃１２を備える。ひも状の刈刃１２は、例えば、ブレード状や円盤状の刈刃等に比して可撓性が高いこと等から、草等の切断作業の際に障害物等に接触した場合であっても、該障害物が損傷することや、刈刃１２を介して草刈機１４に大きな衝撃が加えられることを回避できる。一方で、ひも状の刈刃１２では、ブレード状や円盤状の刈刃１２等に比して、切断した草等が飛散し易くなるが、この草刈機用カバー１０によれば、ひも状の刈刃１２に適用した場合であっても、切断した草等の飛散を効果的に抑制することができる。
【００８４】
上記の通り、草刈機用カバー１０は、刈刃回転領域１２Ａの上側に固定され、進行方向に対する左右方向の長さが、刈刃回転領域１２Ａの直径よりも小さい固定カバー３２を備える。この場合、刈刃１２と切断対象の草等との接触を妨げることなく、すなわち、草刈作業の効率を低下させることなく、切断した草等が刈刃１２の上方に飛散することを抑制できる。また、固定カバー３２により、障害物が刈刃１２を保持するホルダ２２に接近することを回避できるため、ホルダ２２と障害物との間に刈刃１２が挟まれて損傷すること等を抑制できる。
【００８５】
さらに、固定カバー３２は前端側に、前方に向かうにつれて上方に傾斜する前舌部４０が設けられる。これによって、固定カバー３２の下方の刈刃１２に向かって草等を効果的に導くことが可能になるため、草刈作業の効率を高めることができる。
【００８６】
本発明は上述した実施形態に限定されるものではなく、本発明の要旨を逸脱しない範囲において、種々の改変が可能である。
【符号の説明】
【００８７】
１０…草刈機用カバー                        １２…刈刃
１４…草刈機                                ３２…固定カバー
３４…右側カバー                            ３６…左側カバー
３８…前側カバー                            ４４…右開閉部
５２…左開閉部                              ６０…シート状部
【図１】
2019080515.tif 000003
【図２】
2019080515.tif 000004
【図３】
2019080515.tif 000005
【図４】
2019080515.tif 000006
【図５】
2019080515.tif 000007
【図６】
2019080515.tif 000008
【図７】
2019080515.tif 000009
【図８】
2019080515.tif 000010